(57)【要約】【課題】複数の被制御機器の全てにコマンドが届く設置場所等を容易に探し出すことができるリモコン措置を提供すること。【解決手段】複数の被制御機器Ｍ各々に対し個別にコマンドを送信する個別コマンド送信手段１０と、複数の被制御機器Ｍに対し連続的にコマンドを送信する一括コマンド送信手段２０と、を備えるリモコン装置１とする。一括コマンド送信手段２０は、所定の動作をさせるためのコマンドである第一コマンドを送信した後、所定の動作とは逆の動作をさせるためのコマンドである第二コマンドを送信することが可能であるようにするとよい。【選択図】図３
2016086221.tif 000002
【特許請求の範囲】
【請求項１】
複数の被制御機器各々に対し個別にコマンドを送信する個別コマンド送信手段と、
前記複数の被制御機器に対し連続的にコマンドを送信する一括コマンド送信手段と、を備える、リモコン装置。
【請求項２】
前記一括コマンド送信手段は、
所定の動作をさせるためのコマンドである第一コマンドを送信した後、前記所定の動作とは逆の動作をさせるためのコマンドである第二コマンドを送信することが可能である、請求項１に記載のリモコン装置。
【請求項３】
前記一括コマンド送信手段は、前記第一コマンドを送信した後、前記第二コマンドを送信するのを繰り返すことが可能である、請求項２に記載のリモコン装置。
【請求項４】
前記一括コマンド送信手段によって連続的に送信される各コマンド同士の間隔を変化させることが可能である、請求項１から請求項３のいずれか一項に記載のリモコン装置。
【請求項５】
前記一括コマンド送信手段によってコマンドが送信される被制御機器群を変更することが可能である、請求項１から請求項４のいずれか一項に記載のリモコン装置。
【発明の詳細な説明】
【技術分野】
【０００１】
本発明は、複数の被制御機器を制御するために用いられるリモコン装置に関する。
【背景技術】
【０００２】
下記特許文献１には、複数の被制御機器を制御するために用いられるリモコン装置が開示されている。特許文献１に記載のリモコン装置は、ビームリフレクタ（反射板）によってリモコンビーム（信号）が各被制御機器に向かうようにしたものである。
【先行技術文献】
【特許文献】
【０００３】
【特許文献１】特開平３−２９６３３１号公報
【発明の概要】
【発明が解決しようとする課題】
【０００４】
所定位置に据え置かれるリモコン装置は、全ての被制御機器にコマンド（信号）が届く位置、角度（以下設置場所等と称することもある）を探し出す必要がある。したがって、設置場所等を決定するに際し、様々な位置、角度から個々の被制御機器に対しコマンドを送信し、全ての被制御機器にコマンドが届く位置、角度をトライ＆エラーで探し出す必要があった。また、上記特許文献１に記載されるようなリモコン装置では、複数のビームリフレクタの角度を一つ一つ調節しなければならない。このように、従来のリモコン装置は、全ての被制御機器にコマンドが届くような設置場所等を探し出す作業が煩雑で時間のかかるものとなっていた。
【０００５】
本発明が解決しようとする課題は、複数の被制御機器の全てにコマンドが届く設置場所等を容易に探し出すことができるリモコン措置を提供することにある。
【課題を解決するための手段】
【０００６】
上記課題を解決するために本発明にかかるリモコン装置は、複数の被制御機器各々に対し個別にコマンドを送信する個別コマンド送信手段と、前記複数の被制御機器に対し連続的にコマンドを送信する一括コマンド送信手段と、を備える。
【０００７】
前記一括コマンド送信手段は、所定の動作をさせるためのコマンドである第一コマンドを送信した後、前記所定の動作とは逆の動作をさせるためのコマンドである第二コマンドを送信することが可能であるとよい。
【０００８】
前記一括コマンド送信手段は、前記第一コマンドを送信した後、前記第二コマンドを送信するのを繰り返すことが可能であるとよい。
【０００９】
前記一括コマンド送信手段によって連続的に送信される各コマンド同士の間隔を変化させることが可能であるとよい。
【００１０】
前記一括コマンド送信手段によってコマンドが送信される被制御機器を変更することが可能であるとよい。
【発明の効果】
【００１１】
本発明にかかるリモコン装置は、複数の被制御機器各々に対し個別にコマンドを送信する個別コマンド送信手段だけでなく、複数の被制御機器に対し連続的にコマンドを送信する一括コマンド送信手段を備える。つまり、一括コマンド送信手段を動作させれば、全ての被制御機器に対しコマンドが送信されるため、当該全ての被制御機器にコマンドが届く設置場所等を容易に見つけ出すことができる。
【００１２】
被制御機器に所定の動作をさせる第一コマンドを送信した後、所定の動作とは逆の動作をさせる第二コマンドを送信することが可能であれば、全ての被制御機器に対しコマンドが届いた場合には、当該全ての被制御機器は一括コマンド送信手段を動作させる前の状態に戻ることとなり、都合がよい。また、コマンドが届いている被制御機器とそうでない被制御機器との判別がしやすい。
【００１３】
第一コマンドの送信と第二コマンドの送信を繰り返すことが可能であれば、コマンドを受信可能な被制御機器は所定の動作と逆の動作を繰り返すこととなるから、コマンドが届いている被制御機器とそうでない被制御機器との判別がしやすい。
【００１４】
一括コマンド送信手段によって連続的に送信される各コマンド同士の間隔を変化させることが可能であれば、被制御機器が誤動作してしまうのが防止される。  
【００１５】
一括コマンド送信手段によってコマンドが送信される被制御機器群を変更することが可能であれば、一部の被制御機器にのみコマンドを送信するといった操作を実行することができるため、リモコン装置の設置位置等を見つけ出す作業が容易になる。
【図面の簡単な説明】
【００１６】
【図１】本発明の一実施形態にかかるリモコン装置の概要を説明するための図である。
【図２】本発明の一実施形態にかかるリモコン装置の構成を説明するためのブロック図である。
【図３】一括コマンド送信手段を利用したリモコン装置の設置場所等の決定方法を説明するための図である。
【図４】一括コマンド送信手段が動作することで各被制御機器にＯＮ信号とＯＦＦ信号が繰り返し送信される様子と、これを利用したリモコン装置の設置場所等の決定方法を説明するための図である。
【図５】自動的にコマンド間のインターバルが変化する態様を説明するための図である。
【発明を実施するための形態】
【００１７】
以下、本発明の一実施形態にかかるリモコン装置１について詳細に説明する。本実施形態にかかるリモコン装置１は、複数の被制御機器Ｍを制御可能ないわゆるマルチリモコンである。本リモコン装置１によって、例えば、住居内の照明、テレビ、エアコンといった複数の被制御機器Ｍを制御することができる。
【００１８】
図１に示すように、本実施形態にかかるリモコン装置１は、いわゆる所定の場所に据え置かれる据置型のものである。使用者が特定の被制御機器Ｍに意図した動作をさせるためのコマンドの内容（操作命令）の選択は、可搬性のある操作装置２によって決定することができる。操作装置２は、複数の被制御機器Ｍのうちから動作させる被制御機器Ｍを選択すること（例えば、照明、テレビ、エアコンのうちからいずれかを選択すること）や、具体的な動作を選択すること（例えば、テレビを選択し、当該テレビをＯＮ状態とすること）を可能とするものであればどのようなものであってもよい。操作装置２として、スマートフォンを使用するシステムを構築することもできる。
【００１９】
操作装置２によって選択された操作命令は、リモコン装置１に送られる。図２に示すように、本実施形態にかかるリモコン装置１は、操作装置２と情報をやり取りするための通信手段３０を有しており、当該操作命令を受信することができる。当該操作命令に基づくコマンドを対象となる被制御機器Ｍに送信する個別コマンド送信手段１０を備える。つまり、個別コマンド送信手段１０は、複数の被制御機器Ｍのうちから選択された一つの被制御機器Ｍに対し個別にコマンドを送信するものであって、被制御機器Ｍに意図した動作をさせる「リモコン」本来の機能を発揮するための送信手段である。
【００２０】
本実施形態にかかるリモコン装置１は、かかる個別コマンド送信手段１０とは別に、一括コマンド送信手段２０を備える。一括コマンド送信手段２０は、制御しようとする全ての被制御機器Ｍに対し連続的にコマンドを送信するものである。つまり、一括コマンド送信手段２０が動作すると、上記個別コマンド送信手段１０を動作させなくても、全ての被制御機器Ｍに対して所定の動作を実行させようとするコマンドが送信される。
【００２１】
本実施形態にかかるリモコン装置１には、一括コマンド送信手段２０を動作させる一括コマンド送信スイッチ２１が設けられている。上記操作装置２を用いた操作によって一括コマンド送信手段２０を動作させることができるようにしてもよい。なお、リモコン装置１は、上記通信手段３０、個別コマンド送信手段１０や一括コマンド送信手段２０（一括コマンド送信スイッチ２１）を制御する制御手段４０を備えている。
【００２２】
一括コマンド送信手段２０は、リモコン装置１の設置場所やリモコン装置１の角度（設置場所等）を決定する際に用いられる。リモコン装置１は、制御しようとする全ての被制御機器Ｍに対しコマンドが届くように設置される必要がある。使用者は、一括コマンド送信手段２０を動作させ、制御しようとする全ての被制御機器Ｍが動作する設置場所等を見つけ出す。図３に示すように、一括コマンド送信手段２０を動作させ、全ての被制御機器Ｍが動作しなかった場合（図３（ａ）参照）にはリモコン装置１の設置場所等として適当でなく、全ての被制御機器Ｍが動作した場合（図３（ｂ）参照）にはリモコン装置１の設置場所等として適当であるということとなる。
【００２３】
このように、従来であれば、一つ一つの被制御機器Ｍに対し個別にコマンドを送信しつつ、全ての被制御機器Ｍが動作する場所を見つけ出さなければならなかったところ、本実施形態にかかるリモコン装置１によれば、一括コマンド送信手段２０を動作させるだけで、全ての被制御機器Ｍが動作するか否かを確認することができるため、設置場所等を見つけ出す作業が容易になる。
【００２４】
一括コマンド送信手段２０が動作したとき、各被制御機器Ｍに送信されるコマンドは、所定の動作をさせるためのコマンドである第一コマンドと、この第一コマンドの後に送信される所定の動作とは逆の動作（所定の動作を打ち消す動作）をさせるためのコマンドである第二コマンドを含むものであるとよい。所定の動作をさせるコマンドおよびその逆の動作をさせるコマンドの組み合わせとしては、ＯＮ状態とするコマンド（ＯＮ信号）とＯＦＦ状態とするコマンド（ＯＦＦ信号）の組み合わせが例示できる。
【００２５】
なお、第一コマンドと第二コマンドの内容（パルス波形）は全く同じであってもよいし、異なっていてもよい。例えば、第一コマンドとしてＯＮ信号を、第二コマンドとしてＯＦＦ信号を送信する場合において、ＯＮ信号とＯＦＦ信号のパルス波形が同じである被制御機器Ｍには、同じ波形のコマンドを続けて送信することとなる。
【００２６】
このように構成すれば、コマンドを受信した被制御機器Ｍは、第一コマンドに対応した動作をした後、第二コマンドに対応した動作を行うため、一括コマンド送信手段２０が動作する前の状態に戻ることとなるから、都合がよい。また、コマンドが届いている被制御機器Ｍとそうでない被制御機器Ｍとの判別がしやすい。例えば、第一コマンドとしてＯＮ信号を、第二コマンドとしてＯＦＦ信号を送信する態様とした場合に、全ての被制御機器Ｍにコマンドが届く状態であれば、全ての制御機器が一旦ＯＮ状態となった後、ＯＦＦ状態に戻ることとなる。
【００２７】
また、一括コマンド送信手段２０は、第一コマンドを送信した後、第二コマンドを送信するのを繰り返すこと、すなわち、使用者の操作によって、第一コマンド送信、第二コマンド送信、第一コマンド送信・・・というように、所定の動作をさせるコマンドとその逆の動作をさせるコマンドの送信を繰り返すことが可能であるとよい。このように第一コマンドの送信と第二コマンドの送信を繰り返すための操作はどのようなものであってもよい。例えば、上記一括コマンド送信スイッチ２１を長押ししている間は、コマンドの送信が繰り返されるような構成とすることができる。
【００２８】
このように第一コマンドの送信と第二コマンドの送信を繰り返す状態とすれば、コマンドの送信が繰り返されている間、コマンドが届いている被制御機器Ｍは第一コマンドに対応する所定の動作（例えばＯＮ動作）と、第二コマンドに対応する所定の動作とは逆の動作（例えばＯＦＦ動作）を繰り返す。したがって、使用者はその間にリモコン装置１の位置や角度を調節し、全ての被制御機器Ｍにコマンドが届くリモコン装置１の状態を見つけ出せばよい。
【００２９】
例えば、図４に示すように、制御しようとする被制御機器Ｍを機器Ａ、機器Ｂ、機器Ｃの三つとする場合に、一括コマンド送信手段２０を動作させたとき、それぞれの機器にＯＮ信号とＯＦＦ信号が繰り返し送信されるとする。リモコン装置１の設置場所等を図４のＰ１に示す状態とした上で、一括コマンド送信手段２０を動作させたとき、機器Ａと機器ＢはＯＮ状態となるものの、機器ＣはＯＦＦ状態のままであったとすれば、機器Ａと機器Ｂにコマンドは届いているものの、機器Ｃにはコマンドが届いていないことが判断できる。使用者はＯＮ信号とＯＦＦ信号が繰り返し送信されている状態のまま、リモコン装置１の設置場所等を変化させ、機器ＣがＯＮ状態となる位置（例えば、図４のＰ２に示す状態）を見つけ出せばよい。
【００３０】
第二コマンドは、第一コマンドの後に送信されるものであればよく、制御しようとする全ての被制御機器Ｍに対し連続的に第一コマンドを送信した後、全ての被制御機器Ｍに対し連続的に第二コマンドを送信するという送信態様としてもよいし、ある被制御機器Ｍに対し第一コマンドを送信した後第二コマンドを送信し、その後別の被制御機器Ｍに対し第一コマンドを送信した後第二コマンドを送信する・・・という送信態様としてもよい。例えば、制御しようとする被制御機器Ｍを機器Ａ、機器Ｂ、機器Ｃの三つとする場合には、機器Ａ〜Ｃ全てに対し第一コマンドを送信した後、機器Ａ〜Ｃ全てに対し第二コマンドを送信する送信態様（図４に示すような態様）としてもよいし、機器Ａに対し第一コマンドを送信した後第二コマンドを送信し、その後機器Ｂに対し第一コマンドを送信した後第二コマンドを送信し、その後機器Ｃに対し第一コマンドを送信した後第二コマンドを送信するという送信態様としてもよい。
【００３１】
また、本実施形態にかかるリモコン装置１は、各コマンド間のインターバルを変化させることが可能である（インターバル変更手段を備える）。つまり、一括コマンド送信手段２０が動作する場合、区別すべき複数のコマンドが連続的に送信されることとなるため、各コマンドが混在しないように（別のコマンドがノイズとならないように）、各コマンド間のインターバルを変化させることができる。使用者が任意にコマンド間のインターバルを調整することができるようにしてもよいし、自動的にコマンド間のインターバルが調整されるようにしてもよい。また、図５に示すように、第一コマンドと第二コマンドの送信が繰り返される送信態様が実行されている場合、自動的にコマンド間のインターバルが変化する（時間の経過とともに、コマンド間のインターバルが増減する）構成としてもよい。
【００３２】
また、本実施形態にかかるリモコン装置１は、一括コマンド送信手段２０によってコマンドが送信される被制御機器Ｍ群を変更する（制御しようとする被制御機器Ｍの種類や数を変更する）ことが可能である（被制御機器Ｍ群変更手段を備える）。リモコン装置１を、制御対象となる被制御機器Ｍの種類や数を限定しない汎用性のあるものとするのであれば、制御対象となる被制御機器Ｍの種類や数は使用者や使用環境の変化によってその都度変化することとなる。よって、制御対象となる被制御機器Ｍが変化した場合に備え、一括コマンド送信手段２０によってコマンドが送信される被制御機器Ｍ群を適宜変化させることができるようにしておくことが望ましい。
【００３３】
また、このように被制御機器Ｍ群を変更させることが可能であれば、制御しようとする被制御機器Ｍのうち、一部の被制御機器Ｍにのみコマンドを送信するといった操作を実行することができるため、適当なリモコン装置１の設置位置等を見つけ出す作業が容易になる。例えば、制御しようとする被制御機器Ｍを機器Ａ、機器Ｂ、機器Ｃ、機器Ｄの四つとする場合において、機器Ａと機器Ｂにコマンドが届く範囲と、機器Ｃと機器Ｄにコマンドが届く範囲を見出した上で、両範囲が重なる場所がおおよその設置位置であると判断することができるため、機器Ａ〜Ｄの全てにコマンドを送信しつつリモコン装置１の設置位置等を見つけ出そうとする場合に比して、スムーズにリモコン装置１の設置位置等を見つけ出すことができることがある。つまり、被制御機器Ｍ群を変更させることが可能であれば、使用者の利便性が増すこととなる。
【００３４】
以上、本発明の実施形態やその変形例について詳細に説明したが、本発明は上記実施形態やその変形例に何ら限定されるものではなく、本発明の要旨を逸脱しない範囲で種々の改変が可能である。
【００３５】
上記実施形態にかかるリモコン装置１は、使用者が操作する操作装置２がリモコン装置１とは別の装置であることを説明したが、使用者が操作する部分が、所定の場所に据え置かれるリモコン装置１と一体的に設けられていることを妨げるものではない。
【符号の説明】
【００３６】
１  リモコン装置
１０  個別コマンド送信手段
２０  一括コマンド送信手段
２１  一括コマンド送信スイッチ
３０  通信手段
４０  制御手段
Ｍ  被制御機器
【図１】
2016086221.tif 000003
【図２】
2016086221.tif 000004
【図３】
2016086221.tif 000005
【図４】
2016086221.tif 000006
【図５】
2016086221.tif 000007